(57)【要約】【課題】簡単な操作で、手間をかけずに遊戯者が欲する位置で正確に固定することができるハンドル装置およびこれを用いたパチンコ機を提供する。【解決手段】少なくとも、フロントカバー３６の後端面３６ａとハンドル部３４の前面との間、リアカバー３８の前端面３８ａとハンドル部３４の後面との間、および回動シャフト３２の外周面とリアカバー３８の貫通穴３９の内周面との間のいずれか１カ所に挟持され、ハンドル部３４と各カバー３６，３８との間の摩擦力または回動シャフト３２とリアカバー３８の貫通穴３９との間の摩擦力が付勢手段１６の付勢力よりも大きくなるような摩擦係数を有し、該摩擦力によって遊戯者がハンドル部３４を回動させた際にはその位置でハンドル部３４を固定させる摩擦部材５０，５１とを具備する。【選択図】        図３
2004337435.tif 000002
【特許請求の範囲】
【請求項１】
パチンコ玉を殴打してパチンコ玉を発射させるハンマーと、該ハンマーに一端部が取り付けられハンマーを殴打方向に付勢する付勢手段と、該付勢手段の他端部に、一端部が取り付けられたワイヤと、該ワイヤの他端部が取り付けられ、ワイヤを巻き上げるワイヤ巻き上げローラとを具備し、発射されるパチンコ玉への殴打力を変更させるべく、前記ワイヤ巻き上げローラを回動させて前記付勢手段の付勢力の調整を遊戯者が操作可能となるように構成されたハンドル装置において、
該ワイヤ巻き上げローラを回動させるために、ワイヤ巻き上げローラの回動軸の軸線上に固定される回動シャフトと、
該回動シャフトに固定され、操作者が把持するハンドル部と、
該ハンドル部とパチンコ機の前面枠との間に設けられ、前記回動シャフトを貫通させる貫通穴を有し、前記前面枠に固定されるリアカバーと、
該リアカバーと前記ハンドル部を挟むようにして配置され、回動しないように前記リアカバーに固定されたフロントカバーと、
少なくとも、前記フロントカバーの後端面と前記ハンドル部の前面との間、前記リアカバーの前端面と前記ハンドル部の後面との間、および前記回動シャフトの外周面と前記リアカバーの貫通穴の内周面との間のいずれか１カ所に挟持され、ハンドル部と各カバーとの間の摩擦力または前記回動シャフトと前記リアカバーの貫通穴との間の摩擦力が前記付勢手段の付勢力よりも大きくなるような摩擦係数を有し、該摩擦力によって遊戯者がハンドル部を回動させた際にはその位置でハンドル部を固定させる摩擦部材とを具備することを特徴とするパチンコ機のハンドル装置。
【請求項２】
前記摩擦部材が、フロントカバーの後端面と前記ハンドル部の前面との間、または前記リアカバーの前端面と前記ハンドル部の後面との間に挟持される場合は、摩擦部材としてスプリングワッシャーが用いられることを特徴とする請求項１記載のパチンコ機のハンドル装置。
【請求項３】
前記フロントカバーには目盛が形成されており、ハンドル部の回動位置を該目盛により確認可能に設けられていることを特徴とする請求項１または請求項２記載のパチンコ機のハンドル装置。
【請求項４】
請求項１〜請求項３記載のうちいずれか１項記載のハンドル装置が取り付けられていることを特徴とするパチンコ機。
【発明の詳細な説明】
【０００１】
【発明の属する技術分野】
本発明は、パチンコ機において発射されたパチンコ玉の到達位置を変更するためのハンドル装置、およびこのハンドル装置を用いたパチンコ機に関する。
【０００２】
【従来の技術】
パチンコ機では発射されるパチンコ玉の到達点を調整するためのハンドル装置が設けられている。ハンドル装置は、パチンコ機の前面枠において遊戯者側に突出して設けられているものである。
なお、パチンコ玉はパチンコ玉の発射方向に向けて往復運動するハンマーによって殴打され、発射される。このハンマーの殴打力は、ハンマーを殴打方向に引っ張っているスプリング等の付勢手段によって付与されている。ハンドル装置は、この付勢手段の引っ張り強度を調整することでハンマーの殴打力を調整し、もってパチンコ玉の到達位置の調整を行なうことができるように設けられている。
【０００３】
しかし、従来のパチンコ機においては、遊戯者がハンドル装置を操作してパチンコ玉が任意の位置に到達するようになった場合、遊戯者がその位置でハンドルを固定し続けなくてはならず、遊戯者にとっては長時間その姿勢を保ち続けなくてはならなかったため、腕や手にかかる負担が大きかった。
【０００４】
このような負担を軽減するために、遊戯者がおさえ続けていなくともハンドルが所定の位置で固定されるようなハンドル装置が従来より提案されている。
このような任意の位置で固定されるハンドル装置によれば、ハンドルに押しボタンを設け、押しボタンが押下されることでハンドルの回動を機械的に制止させるものや（例えば特許文献１、特許文献２参照）、ハンドル装置内に電磁ブレーキを設け、操作スイッチをオンにすることでハンドルを所定位置で固定することができるもの（例えば特許文献３参照）、さらには、ハンドルの後面にパチンコ玉を収納する凹部を設けてパチンコ玉を凹部内にはめ込むことでハンドルの回動を抑える構造（例えば特許文献４参照）がある。
【０００５】
【特許文献１】
実公昭６０−３１７５３号公報
【特許文献２】
実公平７−４２４５９号公報
【特許文献３】
特開平１１−１１４１５４号公報（（００１３）等）
【特許文献４】
特開平６−２３３８５３号公報（（０００７）、図５等）
【０００６】
【発明が解決しようとする課題】
上述してきたような従来のハンドル装置では、遊戯者の任意の位置で固定することはできるものの、その位置でスイッチ等（パチンコ玉のはめ込みも含め）を操作して固定しなくてはならなかった。
すなわち、従来のハンドル装置では、スイッチ等を操作しようとする際に微妙に位置がずれたりすることもあり、正確な位置に固定できるハンドル装置が望まれているという課題があった。
また、ハンドルの位置を固定する場合に位置がずれたために再度位置を調整しようとする際には、再度スイッチを操作して固定を解除して位置を設定し直す必要がある。つまり、正確な位置を設定しようとすると、スイッチのオン−オフの切換を何度も行なって設定しなくてはならないので、正確な位置に設定できたとしても設定完了までに非常に手間がかかっているという課題もあった。
【０００７】
そこで、本発明は上記課題を解決すべくなされ、その目的とするところは、簡単な操作で、手間をかけずに遊戯者が欲する位置で正確に固定することができるハンドル装置およびこれを用いたパチンコ機を提供することにある。
【０００８】
【課題を解決するための手段】
すなわち、本発明にかかるパチンコ機のハンドル装置によれば、パチンコ玉を殴打してパチンコ玉を発射させるハンマーと、該ハンマーに一端部が取り付けられハンマーを殴打方向に付勢する付勢手段と、該付勢手段の他端部に、一端部が取り付けられたワイヤと、該ワイヤの他端部が取り付けられ、ワイヤを巻き上げるワイヤ巻き上げローラとを具備し、発射されるパチンコ玉への殴打力を変更させるべく、前記ワイヤ巻き上げローラを回動させて前記付勢手段の付勢力の調整を遊戯者が操作可能となるように構成されたハンドル装置において、該ワイヤ巻き上げローラを回動させるために、ワイヤ巻き上げローラの回動軸の軸線上に固定される回動シャフトと、該回動シャフトに固定され、操作者が把持するハンドル部と、該ハンドル部とパチンコ機の前面枠との間に設けられ、前記回動シャフトを貫通させる貫通穴を有し、前記前面枠に固定されるリアカバーと、該リアカバーと前記ハンドル部を挟むようにして配置され、回動しないように前記リアカバーに固定されたフロントカバーと、少なくとも、前記フロントカバーの後端面と前記ハンドル部の前面との間、前記リアカバーの前端面と前記ハンドル部の後面との間、および前記回動シャフトの外周面と前記リアカバーの貫通穴の内周面との間のいずれか１カ所に挟持され、ハンドル部と各カバーとの間の摩擦力または前記回動シャフトと前記リアカバーの貫通穴との間の摩擦力が前記付勢手段の付勢力よりも大きくなるような摩擦係数を有し、該摩擦力によって遊戯者がハンドル部を回動させた際にはその位置でハンドル部を固定させる摩擦部材とを具備することを特徴としている。
【０００９】
この構成を採用することによる作用は以下の通りである。
遊戯者がハンドル部を把持して回動シャフトを回動させ、ワイヤ巻き上げローラが付勢手段を付勢するようにワイヤを巻き上げることによって、ハンマーが大きく付勢されることとなり、パチンコ玉の飛距離が伸びる。このとき、ハンドル部の回動は、付勢手段の付勢力に抗して行なわれるため、元の位置に戻ろうとする力が常時働いている。しかし、ハンドル部とフロントカバー、ハンドル部とリアカバーとの間、回動シャフトとこれの貫通穴との間において、付勢力よりも大きい摩擦力が生じているため、付勢手段の付勢力によってハンドル部の回動が戻るということがなく、遊戯者が回動させたその位置でハンドル部を固定することができる。固定を解除するには、遊戯者がハンドル部を付勢力に従う方向に回動させればよい。
このため、ハンドル部を正確な位置で固定するための微調整もわざわざスイッチ等をオン−オフさせることなく行なうことができるので、手間をかけずに容易に行なうことができ、且つ任意の位置で正確に固定することができる。
【００１０】
また、前記摩擦部材が、フロントカバーの後端面と前記ハンドル部の前面との間、または前記リアカバーの前端面と前記ハンドル部の後面との間に挟持される場合は、摩擦部材としてスプリングワッシャーが用いられることを特徴としてもよい。
さらに、前記フロントカバーには目盛が形成されており、ハンドル部の回動位置を該目盛により確認可能に設けられているので、遊戯者にとっては目盛を見ながら回動させることでさらに微調整がしやすく、正確な位置でハンドル部を固定できる。
【００１１】
本発明にかかるパチンコ機によれば、請求項１〜請求項３記載のうちいずれか１項記載のハンドル装置が取り付けられていることを特徴とする。
このため、遊戯者にとっては、ハンドル部を正確な位置で固定するための微調整もわざわざスイッチ等をオン−オフさせることなく行なうことができるので、手間をかけずに容易に行なうことができ、且つ任意の位置で正確に固定することができる。
【００１２】
【発明の実施の形態】
以下、本発明の好適な実施の形態を添付図面に基づいて詳細に説明する。
図１に、パチンコ機の前面の概略構造を示す。
パチンコ機１０には、発射されるパチンコ玉の到達位置を調整するためのハンドル装置２０が設けられている。ハンドル装置２０は、パチンコ機１０の前面側の前面枠２において遊戯者側に向けて突出して設けられている。ハンドル装置２０は、遊戯者が把持して操作するものである。
【００１３】
次に、図２に基づいて、パチンコ玉を発射する機構について説明する。なお、図２は発射機構を単純に模式化した図面であって、パチンコ機の裏側から遊戯者が存する前方に向けて見た図面である。
発射機構５は、パチンコ玉１１がセットされる発射レール１２と、セットされたパチンコ玉１１を連続して殴打するために反復運動するハンマー１４と、ハンマーの殴打力を調整するための付勢手段１６と、ハンマー１４を反復運動させる打球カム２２とを具備している。
【００１４】
パチンコ玉１１は発射レール１２上の所定の発射位置Ａに１球ずつ導入される。発射位置Ａには、パチンコ玉１１を殴打してパチンコ玉１１を発射させるハンマー１４の先端部１４ａが配置される。
ハンマー１４は、回動軸１８を中心に回動可能に支持されている。ハンマー１４は、後端部１４ｃに打球カム２２が当接可能となるように配置されている。打球カム２２は、ハンドル部３４（後述する）を遊戯者が操作されることに連動して回転動作が開始するように設けられている。
【００１５】
打球カム２２が回転することによって、ハンマー１４の後端部１４ｃが間欠的に打球カム２２によって叩かれる。つまり打球カム２２は、ハンマー１４を回動軸１８を中心にして、先端部１４ａが矢印ａのように反復運動するように動作させる。
具体的に説明すると、打球カム２２がハンマー１４の後端部１４ｃに当接している間は、ハンマー１４の先端部１４ａは付勢手段１６の付勢力に抗して発射位置Ａよりも後方へ移動する。打球カム２２がハンマー１４の後端部１４ｃから離間すると、ハンマー１４の先端部１４ａは付勢手段１６の付勢力によって発射位置Ａへ移動し、発射位置Ａに存するパチンコ玉１１を殴打する。
【００１６】
上述したように、ハンマー１４の先端部１４ａがパチンコ玉１１を発射する方向に付勢されるように、付勢手段の一例としてのスプリング１６の一端部が中途部１４ｂに取り付けられている。
また、スプリング１６による付勢力によって、ハンマー１４がスプリング方向へ移動しすぎないように、ハンマー１４の打球発射方向への移動を規制するストッパー１９が設けられている。ストッパー１９は、発射位置Ａよりもハンマー１４の先端部１４ａが発射方向へ突出しないように規制する位置に設けられている。
【００１７】
スプリング１６の他端部には、ワイヤ２４の一端部が接続されている。このワイヤ２４の他端部は、複数のプーリー２５，２５・・を経てハンドル装置２０のワイヤ巻き上げローラ３０に接続されている。
すなわち、ハンドル装置２０のハンドル部３４によってワイヤ巻き上げローラ３０を回動させることにより、スプリング１６の大きく引き延ばされ、ハンマー１４の殴打力が大きくなるので、パチンコ玉１１を遠くにまでとばすことができるのである。
【００１８】
次に、図３〜図５に基づいて、ハンドル装置のうち遊戯者が操作可能な部分の構成について説明する。
ハンドル装置２０は、上述したようなワイヤ２４を巻き上げるワイヤ巻き上げローラ３０を回動させるためにワイヤ巻き上げローラ３０に一端が取り付けられた回動シャフト３２と、回動シャフト３２を回転させるために遊戯者が把持可能となるように回動シャフト３２の他端に設けられたハンドル部３４とを備えている。
ワイヤ巻き上げローラ３０は、パチンコ機１０の内部に設けられており、ハンドル部３４等は、パチンコ機１０の外部に設けられている。
【００１９】
ハンドル部３４の前方側には、フロントカバー３６が設けられており、回動シャフト３２の他端部を閉塞するように設けられている。
また、ハンドル部３４の後方側には、リアカバー３８が設けられている。リアカバー３８には、回動シャフト３２を貫通させる貫通穴３９が形成されており、この貫通穴３９を貫通して回動シャフト３２がパチンコ機１０内部に延びている。
【００２０】
ハンドル部３４は、回動シャフト３２が挿入されて固定される固定穴４５が形成された円盤状の平面部４６と、平面部４６の周端縁に沿って遊戯者が把持しやすいような形状に形成された把持部４８とが設けられている。
【００２１】
パチンコ機１０の前面枠２には、ハンドル装置２０を取り付けるためのベース部４が形成されている。ベース部４は、前方に突出し、リアカバー３８の後端部を収納可能な筒状に形成されている。このベース部４にリアカバー３８の後端部が挿入されてネジ止めされることで、ハンドル装置２０がパチンコ機の前面枠２に取り付けられる。
【００２２】
フロントカバー３６は、内部が空洞の半球状に形成されており、その外周囲には、ハンドル部３４の回動角度を目視にて把握できるように目盛４０が設けられている。
フロントカバー３６内部の空洞部分には、リアカバー３８に取り付けるために後方に突出するボス４２が複数本設けられている。
リアカバー３８にも、フロントカバー３６のボス４２と連結されるように、前方に突出するボス４４が複数本設けられている。
フロントカバー３６のボス４２と、リアカバー３８のボス４４とが連結されてネジ４９によりネジ止めされることによって、フロントカバー３６はリアカバー３８に固定され、ハンドル部３４が回動した場合でも回動せずに固定される。
【００２３】
なお、ハンドル部３４の平面部４６には、フロントカバー３６、リアカバー３８の各ボス４２，４４を貫通させる貫通穴４７が形成されている。貫通穴４７の径は少なくともボス４２，４４よりも大径となり、且つハンドル部３４の回動に対して影響を及ぼさないように、ハンドル部３４の回動方向に沿って延びるように形成されている。このため、ハンドル部３４は、ボス４２，４４が貫通していても自由に回動することができる。
【００２４】
フロントカバー３６の後方側に位置する後端面３６ａと、ハンドル部３４の平面部４６の前面との間には、摩擦部材の一例としてのスプリングワッシャー５０が介在されており、スプリングワッシャー５０とフロントカバー３６、スプリングワッシャー５０とハンドル部３４とは互いに接触している。
スプリングワッシャー５０は、当接している部材を互いに離間する方向に付勢するように設けられているので、ハンドル部３４はスプリング１６の付勢手段により発生する付勢力と、スプリングワッシャー５０が有する摩擦係数とに基づいて摩擦力が生じている。スプリング１６による付勢力は、ハンドル部３４の回動にかかわらず常時生じているので摩擦力も常時生じていることになる。
なお、この摩擦力は、ハンドル部３４がスプリング１６の付勢力よりも大きい値となるように、スプリングワッシャー５０の材質およびその切断部分の広がりを大きくする等して摩擦係数を調整しておくことが必要となる。
【００２５】
なお、摩擦部材としては、スプリングワッシャーに限定されることなく、ハンドル部３４の前面とフロントカバー３６の後端面３６ａとの間で摩擦力が生じるものであればどのようなものであってもよい。
例えば、摩擦材が付着されたフリクションワッシャー等を用いてもよい。フリクションワッシャーは、通常の金属の表面に樹脂や繊維等を付着させて摩擦係数を適度な大きさに調整したようなワッシャである。
さらに、表面に凹凸（波形等）を形成したワッシャを用い、これによりハンドル部３４とフロントカバー３６の端面との間に摩擦力を生じさせるようにしてもよい。
【００２６】
さらに、摩擦部材は、ハンドル部３４とフロントカバー３６との間に設ける構成に限定されず、ハンドル部３４の後面とリアカバー３８の前端面との間に設けられていてもよい。
例えば、図６に示すように、ハンドル部３４の後面と、リアカバー３８の前端面３８ａとの間に摩擦部材の一例としてのスプリングワッシャー５０を挟み込み、ハンドル部３４とリアカバー２８との間で摩擦力を生じさせ、ハンドル部３４を回動させても、付勢手段１６の付勢力に抗して回動させた先の所定位置で停止するようにすることができる。
【００２７】
さらに、摩擦部材は、回動シャフト３２の外周面と、回動シャフト３２を貫通させているリアカバー３８の貫通穴３９の内周面との間に設けられていてもよい。
例えば図７に示すように、貫通穴３９の内壁面に回動シャフト３２の外周面と接触して所定の摩擦力が生じるようなゴム製等の筒状の部材５１を装着させてもよい。筒状の部材５１は、少なくとも回動シャフト３２が挿入可能であり、且つ摩擦力が生じていても手動で回動させることができる程度の径を有している。
この筒状の部材５１の摩擦力によって、ハンドル部３４を回動させた場合でも、付勢手段１６の付勢力に抗して回動させた先の所定位置で停止するようにすることができる。
【００２８】
以上本発明につき好適な実施例を挙げて種々説明したが、本発明はこの実施例に限定されるものではなく、発明の精神を逸脱しない範囲内で多くの改変を施し得るのはもちろんである。
【００２９】
【発明の効果】
本発明に係るパチンコ機のハンドル装置によれば、ハンドル部を遊戯者が回動させた場合でも、付勢力よりも大きい摩擦力が生じているため、付勢手段の付勢力によってハンドル部の回動が元の位置に戻るということがなく、遊戯者が回動させたその位置でハンドル部を固定することができる。固定を解除するには、遊戯者がハンドル部を付勢力に従う方向に回動させればよい。
このため、ハンドル部を正確な位置で固定するための微調整もわざわざスイッチ等をオン−オフさせることなく行なうことができるので、手間をかけずに容易に行なうことができ、且つ任意の位置で正確に固定することができる。
【００３０】
請求項２に記載したように、摩擦部材は、スプリングワッシャーであってもよい。
また請求項３に記載したように、フロントカバーには目盛が形成されており、ハンドル部の回動位置を該目盛により確認可能に設けられているので、遊戯者にとっては目盛を見ながら回動させることでさらに微調整がしやすく、正確な位置でハンドル部を固定できる。
【００３１】
本発明にかかるパチンコ機によれば、ハンドル部を正確な位置で固定するための微調整もわざわざスイッチ等をオン−オフさせることなく行なうことができるので、手間をかけずに容易に行なうことができ、且つ任意の位置で正確に固定することができる。
【図面の簡単な説明】
【図１】パチンコ機前面側の構成の概略を示す正面図である。
【図２】パチンコ機内部のパチンコ玉を発射する発射機構の構成を示す説明図である。
【図３】ハンドル装置の組立分解図である。
【図４】ハンドル装置の外観図であるである。
【図５】ハンドル装置の側方からの断面図である。
【図６】摩擦部材をハンドル部とリアカバーとの間に設けた実施形態を示す、ハンドル装置の側方からの断面図である。
【図７】摩擦部材の組み込み位置を回動シャフトと貫通穴との間に設けた実施形態を示す、ハンドル装置の側方からの断面図である。
【符号の説明】
４        ベース部
５        発射機構
１０    パチンコ機
１１    パチンコ玉
１２    発射レール
１４    ハンマー
１６    スプリング（付勢手段）
１８    回動軸
１９    ストッパー
２０    ハンドル装置
２２    打球カム
２４    ワイヤ
３０    ワイヤ巻き上げローラ
３２    回動シャフト
３４    ハンドル部
３６    フロントカバー
３８    リアカバー
３９    貫通穴
４０    目盛
４２，４４    ボス
４５    固定穴
４６    平面部
４７    貫通穴
４８    把持部
４９  ネジ
５０    スプリングワッシャー
５１  筒状の部材
【図１】
2004337435.tif 000003
【図２】
2004337435.tif 000004
【図３】
2004337435.tif 000005
【図４】
2004337435.tif 000006
【図５】
2004337435.tif 000007
【図６】
2004337435.tif 000008
【図７】
2004337435.tif 000009